(57)【要約】【課題】デジタル表示ではわかりにくかった血圧値のレベルを直感的に理解させる【解決手段】表示部４０では記憶された血圧測定データを、長方形状のセグメントで分割された血圧レベルバー２０２とデータ２００Ａと２００Ｂの数値とを用いて併せて表示する。また、血圧測定中の血圧の上昇と下降に連動したレベルバーと数値とを表示部４０に併せて表示する。血圧レベルバー２０２に関連して高血圧の判定基準値２０４が表示されるので、測定データが該当する血圧区分を把握できる。また、表示領域サイズが小さいとしても、血圧値の推移状況をひと目で判定可能である。【選択図】図１０
2010119446.tif 000002
【特許請求の範囲】
【請求項１】
生体の測定部位に装着されるカフと、
血圧測定のために前記カフの圧力を調整しながら血圧を算出する制御部と、
前記制御部により算出された血圧のデータを記憶する記憶部と、
表示部と、
前記表示部を用いた表示に関する指示を入力するために操作される表示操作部と、を備え、
前記表示操作部を介して入力する前記指示に基づき、前記記憶部から読出した血圧データが指す血圧について、前記表示部の同一画面において、所定単位の複数のセグメントにより区分されたバーによる表示と数値による表示とを同時に行う、血圧測定装置。
【請求項２】
前記表示操作部を介して所定指示が入力される毎に、前記記憶部から血圧データを読出し、読出した血圧データが指す血圧について、前記バーによる表示と数値による表示とを同時に行う表示処理部を、さらに備え、
前記所定指示が入力される毎に、前記記憶部から読出されるべき前記血圧データは、測定時間の時系列順に従い読出される、請求項１に記載の血圧測定装置。
【請求項３】
前記記憶部から読出した血圧データは、最高血圧と最低血圧とを指示する、請求項１または２に記載の血圧測定装置。
【請求項４】
前記最高血圧と前記最低血圧は、所定期間内に測定された前記血圧のデータの最高血圧と最低血圧それぞれの平均を指す、請求項３に記載の血圧測定装置。
【請求項５】
前記最高血圧と前記最低血圧は、所定時間帯に測定された１週間分の前記血圧のデータの最高血圧と最低血圧それぞれの平均を指す、請求項３に記載の血圧測定装置。
【請求項６】
所定血圧区分を示す基準値を、前記バー上の当該基準値に対応する血圧値を指示する位置に、関連付けて表示する、請求項１から５のいずれかに記載の血圧測定装置。
【請求項７】
前記所定血圧区分は、早朝高血圧の区分を指す、請求項６に記載の血圧測定装置。
【請求項８】
前記カフの圧力の調整過程において、前記調整に従い変動する前記血圧について、前記表示部の同一画面において、前記バーによる表示と数値による表示とを同時に行う、請求項１から７のいずれかに記載の血圧測定装置。
【発明の詳細な説明】
【技術分野】
【０００１】
この発明は、血圧測定装置に関し、特に、血圧測定結果をバーグラフとして表示する血圧測定装置に関する。
【背景技術】
【０００２】
従来の電子血圧計は、最高血圧値や最低血圧値などの血圧測定結果をデジタル表示し、測定者に通知している。また血圧測定結果の履歴を呼び出すことで、過去の血圧値を知ることができる。
【０００３】
この表示方法は、測定者が測定結果を正確な値として認識する上で効果的であるが、相対的に血圧値の高低レベルをひと目で判定しにくい。さらに血圧値の時系列での推移状況を知るために、履歴を連続して呼び出す場合、瞬時に傾向を理解することは難しいという問題点がある。
【０００４】
この問題点に鑑みて様々な発明がなされている。例えば特許文献１（特開２００４−１２１６３２号公報）に開示の構成においては、略棒状の領域にて血圧測定結果が血圧区分のどの区分に属するかを簡易に視認できるようにしたことを特徴としているが、血圧測定結果が属する区分内での程度を詳細まで知ることはできない。
【０００５】
さらに特許文献２（特開２００６−１２９８９３号公報）に開示の構成においては、従来の水銀式血圧計と同様にデジタル表示に対応するアナログ状の棒グラフとして血圧測定結果を最高血圧と最低血圧のそれぞれの位置を表示することで高低レベルの読み取りが容易に視認できる。特許文献３（特開２００７−１３５７１５号公報）に開示の構成においては、最高血圧と最低血圧の幅として同様に高低レベルの読み取りが容易に視認できる。しかしながら、これら文献の装置では、血圧区分の判定の表示はなされておらず、測定者自身が血圧測定結果をもとに判定を行わなければならない。
【０００６】
一方、特許文献４（特開昭６１−１９３６４３号公報）に開示の構成においては、記憶された血圧データを時間間隔毎に演算処理してグラフ化し、表示装置に表示することで血圧値の時系列での推移状況をひと目で判定することができるが、一定範囲の時系列表示をするための表示面積が必要となり、表示装置として大きくなってしまうという問題点がある。
【特許文献１】特開２００４−１２１６３２号公報
【特許文献２】特開２００６−１２９８９３号公報
【特許文献３】特開２００７−１３５７１５号公報
【特許文献４】特開昭６１−１９３６４３号公報
【発明の開示】
【発明が解決しようとする課題】
【０００７】
それゆえに、この発明の目的は、デジタル表示ではわかりにくかった血圧値のレベルを直感的に理解させる血圧測定装置を提供することである。
【０００８】
この発明の他の目的は、小さい表示領域でありながらも血圧値の推移状況をひと目で判定可能ならしめる血圧測定装置を提供することである。
【課題を解決するための手段】
【０００９】
この発明のある局面に従う血圧測定装置は、生体の測定部位に装着されるカフと、血圧測定のためにカフの圧力を調整しながら血圧を算出する制御部と、制御部により算出された血圧のデータを記憶する記憶部と、表示部と、表示部を用いた表示に関する指示を入力するために操作される表示操作部と、を備え、表示操作部を介して入力する指示に基づき、記憶部から読出した血圧データが指す血圧について、表示部の同一画面において、所定単位の複数のセグメントにより区分されたバーによる表示と数値による表示とを同時に行う。
【００１０】
好ましくは、表示操作部を介して所定指示が入力される毎に、記憶部から血圧データを読出し、読出した血圧データが指す血圧について、バーによる表示と数値による表示とを同時に行う表示処理部を、さらに備え、所定指示が入力される毎に、記憶部から読出されるべき血圧データは、測定時間の時系列順に従い読出される。
【００１１】
好ましくは、記憶部から読出した血圧データは、最高血圧と最低血圧とを指示する。
好ましくは、最高血圧と前記最低血圧は、所定期間内に測定された血圧のデータの最高血圧と最低血圧それぞれの平均を指す。
【００１２】
好ましくは、最高血圧と最低血圧は、１週間内に測定された血圧のデータの最高血圧と最低血圧それぞれの平均を指す。
【００１３】
好ましくは、最高血圧と最低血圧は、所定時間帯に測定された１週間分の血圧のデータの最高血圧と最低血圧それぞれの平均を指す。
【００１４】
好ましくは、所定時間帯は、朝に該当する時間帯または夜に該当する時間帯を指す。
好ましくは、所定血圧区分を示す基準値を、バー上の当該基準値に対応する血圧値を指示する位置に、関連付けて表示する。
【００１５】
好ましくは、所定血圧区分は、早朝高血圧の区分を指す。
好ましくは、カフの圧力の調整過程において、調整に従い変動する血圧について、表示部の同一画面において、バーによる表示と数値による表示とを同時に行う。
【００１６】
好ましくは、セグメントのそれぞれは、１０ｍｍＨｇを指す。
好ましくは、バーは矩形状を有する。
【発明の効果】
【００１７】
発明によれば、血圧データが指す血圧について、表示部の同一画面において、所定単位の複数のセグメントにより区分された長方形状のバーによる表示と数値による表示とを同時に行うので、デジタル表示ではわかりにくかった血圧値のレベルを直感的に理解させることができる。
【００１８】
また、表示操作部を介して所定指示が入力される毎に、記憶部から測定時間の時系列順に従い血圧データを読出し、データが読出される毎に、読出された血圧データについて、同一画面に、長方形状のバーによる表示と数値による表示とを同時に行うので、画面という小さい表示領域であったとしても、時系列に従う血圧値の推移状況をひと目で判定可能である。
【発明を実施するための最良の形態】
【００１９】
以下、この発明の各実施の形態について図面を参照して詳細に説明する。なお、各図中、同一符号は同一または相当部分を指し、その説明は繰返さない。
【００２０】
（自動巻き型電子血圧計）
本発明に係る血圧測定装置として、自動巻き型電子血圧計１を例示する。
【００２１】
図１には、自動巻き型電子血圧計１の概観が示される。図２には、自動巻き型電子血圧計１のエアー系の概略構成が示される。図３には、自動巻き型電子血圧計１の血圧測定時の使用態様が模式的に示される。図４には、自動巻き型電子血圧計１のハードウェア構成が示される。
【００２２】
図２〜図４を参照して自動巻き型電子血圧計１は、血圧測定用空気袋５０、血圧測定用空気袋５０を圧迫して測定部位に固定するための圧迫固定用空気袋５１、血圧測定用空気袋５０にチューブ５３を介して空気を供給または排出するための血圧測定用エアー系５２、血圧測定用エアー系５２に関連して設けられる増幅器３５、ポンプ駆動回路３６、弁駆動回路３７およびＡ／Ｄ（Analog／Digital）変換器３８を備える。さらに自動巻き型電子血圧計１は、圧迫固定用空気袋５１にチューブ５５を介して空気を供給または排出するための圧迫固定用エアー系５４、圧迫固定用エアー系５４に関連して設けられる増幅器４５、ポンプ駆動回路４６、弁駆動回路４７およびＡ／Ｄ変換器４８を備える。さらに自動巻き型電子血圧計１は、各部を集中的に制御および監視するためのＣＰＵ（Central Processing Unit）３０、測定された血圧値などの各種情報を記憶するためのメモリ３９、血圧測定結果を含む各種情報を表示するための表示部４０、測定のための各種指示を入力するために操作される操作部４１、タイマ４９および後述のセンサ１０７を内蔵するヒンジ部１０６を備える。
【００２３】
血圧測定用エアー系５２は血圧測定用空気袋５０内の圧力（以下、カフ圧という）を検出して出力する圧力センサ３２、血圧測定用空気袋５０に空気を供給するためのポンプ３３および血圧測定用空気袋５０の空気を排出しまたは閉じ込めるために開閉される弁３４を有する。増幅器３５は圧力センサ３２の出力信号を増幅してＡ／Ｄ変換器３８に与えるので、Ａ／Ｄ変換器３８は与えられたアナログ信号をデジタル信号に変換してＣＰＵ３０に出力する。ポンプ駆動回路３６はポンプ３３の駆動をＣＰＵ３０から与えられる制御信号に基づいて制御する。弁駆動回路３７は弁３４の開閉制御をＣＰＵ３０から与えられる制御信号に基づいて行なう。
【００２４】
圧迫固定用エアー系５４は圧迫固定用空気袋５１内の圧力を検出して出力するための圧力センサ４２、圧迫固定用空気袋５１に空気を供給するためのポンプ４３、圧迫固定用空気袋５１の空気を排出しまたは閉じ込めるために開閉される弁４４を有する。増幅器４５は圧力センサ４２の出力信号を増幅してＡ／Ｄ変換器４８に与えるので、Ａ／Ｄ変換器４８は与えられるアナログ信号をデジタル信号に変換してＣＰＵ３０に出力する。ポンプ駆動回路４６はＣＰＵ３０から与えられる制御信号に従いポンプ４３の駆動を制御する。弁駆動回路４７はＣＰＵ３０から与えられる制御信号に従って弁４４の開閉を制御する。
【００２５】
図１と図３を参照して、自動巻き型電子血圧計１は、被測定者の測定部位である上腕を固定するための固定用筒状ケース５７、血圧計本体部５８および測定時に肘関節以下の腕をおくための載置部５９を備える。固定用筒状ケース５７には、ＬＣＤ（liquid Crystal Display）などからなる表示部４０、および外部操作が可能なように操作部４１を備える。
【００２６】
操作部４１は、電源スイッチ４１Ａ、被測定者を選択するために操作されるスイッチ４１Ｂ、血圧測定の開始および停止を指示するためのスイッチ４１Ｃ、および記憶した測定データを読出し表示部４０に表示（後述の呼出し表示）するために操作されるスイッチ４１Ｄと４１Ｅを含む。スイッチ４１Ｄは後述の朝時間帯測定データを呼出し表示するために操作されるスイッチ４１１Ｄと、後述の夜時間帯測定データを呼出し表示するために操作されるスイッチ４１２Ｄとを含む。
【００２７】
本実施の形態では、自動巻き型電子血圧計１は２人分の血圧測定データを記憶することが可能であると想定するので、スイッチ４１Ｂの操作により、たとえば、ユーザＡとＢを指定することができる。また、スイッチ４１Ｂの操作によりユーザＡとＢ以外のビジターを指定することができる。ビジターが指定された場合には、血圧測定を行なうことができるけれども、その血圧測定データは記憶されない。
【００２８】
固定用筒状ケース５７の内周面には、測定部位に装着される血圧測定用空気袋５０を有する。図３には、血圧測定するために固定用筒状ケース５７の図面手前方向から被測定者の測定部位である上腕が挿通されて固定された状態が示される。
【００２９】
自動巻き型電子血圧計１は、非使用時には、載置部５９は接続部５９１を介して血圧計本体部５８側に折り畳まれる。また、固定用筒状ケース５７はヒンジ部１０６を介して血圧計本体部５８側に倒されて両者は一体的構成を採る。血圧測定時および記憶した測定データを読出し表示する場合には、一体的構成の状態から、被測定者は、図１のように、固定用筒状ケース５７をヒンジ部１０６を介して図面手前方向（被測定者側）に回動して、血圧計本体部５８から離す。これにより、図３のように、被測定者は固定用筒状ケース５７内に腕を挿通可能な状態となる。この状態では、固定用筒状ケース５７と血圧計本体部５８は、ヒンジ部１０６を介して接続された状態にある。
【００３０】
図２には、図３の状態における固定用筒状ケース５７の横断面が模式的に示される。固定用筒状ケース５７には測定部位である上腕の外周から固定用筒状ケース５７の内周面方向に向かって、測定用空気袋５０、その径が伸縮自在の圧迫固定用カーラー５６および圧迫固定用空気袋５１が設けられる。圧迫固定用エアー系５４により空気が徐々に供給されて圧迫固定用空気袋５１が膨張すると、その作用により圧迫固定用カーラー５６は径を縮ませるので、それに伴い圧迫固定用カーラー５６と人体（上腕）の間に介在する測定用空気袋５０が測定部位に対して押圧される。これにより、測定用空気袋５０は圧迫固定用カーラー５６および圧迫固定用空気袋５１により人体（腕）の周囲に巻付けられて固定され、血圧測定可能な状態となる。
【００３１】
（機能構成について）
図５を参照し、本実施の形態に係る自動巻き型電子血圧計１の機能構成について説明する。自動巻き型電子血圧計１は、圧力調整部１０１、平均算出部１０２１を含む血圧算出部１０２、入力判別部１０３、表示処理部１０４および傾き検出部１０５を有する。圧力調整部１０１は、ポンプ駆動回路３６および４６、ならびに弁駆動回路３７および４７を制御することにより、測定用空気袋５０および圧迫固定用空気袋５１の内圧を調整する。
【００３２】
血圧算出部１０２は、Ａ／Ｄ変換器３８から入力する信号に基づき血圧を算出し、算出結果をメモリ３９に格納する。また、算出結果を表示するために表示処理部１０４に出力する。血圧算出部１０２の機能の詳細は後述する。
【００３３】
平均算出部１０２１は、タイマ４９が計時する時間データに基づき、毎週、所定曜日（たとえば日曜日）になると、過去１週間分の血圧測定データをメモリ３９から読出し、読出した１週間分の測定データに基づき平均の測定値を算出して、算出した平均データをメモリ３９に格納する。平均算出部１０２１の機能の詳細は後述する。
【００３４】
入力判別部１０３は、操作部４１が、被測定者により操作されることによって出力する信号を入力し、入力信号に基づき、操作部４１のいずれのスイッチが操作されたかを判定し、判定結果を出力する。具体的には、入力判別部１０３は各種スイッチ毎に、当該スイッチが操作されたときに出力される信号レベルを対応付けて予め記憶している。ユーザによるスイッチ操作時には、操作部４１から入力する信号のレベルと、記憶しておいたレベルとを比較照合し、一致するレベルに対応して記憶するスイッチの種別を特定する。これにより、操作されたスイッチの種類を判定できる。
【００３５】
傾き検出部１０５は、ヒンジ部１０６のセンサ１０７に関連して設けられる。センサ１０７は、ヒンジ部１０６を介した血圧計本体部５８に対する固定用筒状ケース５７の傾斜角度（図３の角度αを参照）を検出する。検出した傾斜角度の信号は傾き検出部１０５に与えられる。傾き検出部１０５は、入力する傾き角度信号が指す角度と、予め記憶した所定角度とを比較して、比較結果に基づく信号を、傾き検出信号として表示処理部１０４および血圧算出部１０２に出力する。
【００３６】
表示処理部１０４は、表示部４０にデータを表示するための機能を有し、具体的には、血圧測定中の表示を行なうための測定中処理部１１１、血圧測定終了時に今回の血圧測定結果を表示するための今回測定処理部１１２、メモリ３９に格納された各回の測定結果を読出して表示するための毎回処理部１１３、およびメモリ３９に格納された週単位の平均の血圧測定結果を読出して表示するための週毎処理部１１４を含む。
【００３７】
圧力調整部１０１、血圧算出部１０２、入力判別部１０３、表示処理部１０４および傾き検出部１０５の機能は、予めプログラムとしてメモリ３９に格納されており、ＣＰＵ３０はメモリ３９からこれらプログラムを読出し実行することにより、対応する各部の機能が実現される。
【００３８】
なお、図５においては、ＣＰＵ３０と入出力する周辺回路としては、ＣＰＵ３０の実行する機能に関連する回路のみを示している。
【００３９】
（メモリ構成について）
図６には、メモリ３９の記憶内容の一例が示される。メモリ３９は、領域Ｅ１、Ｅ２、Ｅ３およびＥ４を含む。領域Ｅ１は、血圧測定が実施された場合に、測定結果がレコードＲ０の形式で一時的に格納される領域である。領域Ｅ２、Ｅ３およびＥ４のそれぞれには、ユーザＡとＢのそれぞれについて血圧測定結果を格納するための領域が設けられる。
【００４０】
領域Ｅ２は、血圧測定が行なわれる毎に、血圧測定結果である領域Ｅ０のレコードＲ０が、レコードＲ１の形式で格納される。より具体的には、ユーザＡの血圧測定結果のレコードＲ１は、領域Ｅ２内の領域Ｅ２ａに格納され、ユーザＢの血圧測定結果のレコードＲ１は領域Ｅ２内の領域Ｅ２ｂに格納される。
【００４１】
領域Ｅ３には、領域Ｅ２に格納された血圧測定結果に基づき、週毎に算出された朝時間帯測定データの平均データがレコードＲ２の形式で格納される。より具体的には、ユーザＡの領域Ｅ２ａに格納されたデータに基づく週単位の朝時間帯測定データの平均データは、領域Ｅ３ａに格納される。同様に、ユーザＢの領域Ｅ２ｂに格納されたデータに基づく週単位の朝の測定データの平均データは領域Ｅ３内の領域Ｅ３ｂに格納される。
【００４２】
領域Ｅ４には、領域Ｅ２に格納された血圧測定結果に基づき、週毎に算出された夜時間帯測定データの平均データがレコードＲ３の形式で格納される。より具体的には、ユーザＡの領域Ｅ２ａに格納されたデータに基づく週単位の夜時間帯の測定データの平均データは、領域Ｅ４ａに格納される。同様に、ユーザＢの領域Ｅ２ｂに格納されたデータに基づく週単位の夜時間帯の測定データの平均データは領域Ｅ４内の領域Ｅ４ｂに格納される。
【００４３】
領域Ｅ１のレコードＲ０は、今回の血圧測定結果として、最高血圧のデータＳＹＳ、最低血圧のデータＤＩＡ、脈拍数のデータＰＬ、測定時間のデータＴＭ、早朝高血圧に該当するか否かを指示するデータＤＥ１、血圧測定中に被測定者が体を動かしたか否かを指示するデータＤＥ２、固定用筒状ケース５７が正常な測定のための所定角度から、傾いていたか否かを指示するデータＤＥ３およびユーザを識別するためのデータＤＥ４を含む。
【００４４】
データＴＭは測定時間を指し、血圧算出部１０２が、タイマ４９から入力する時間データをデータＴＭとしてレコードＲ０に格納する。
【００４５】
データＤＥ４は、スイッチ４１Ｂの操作により指示される被測定者の別であり、血圧算出部１０２が入力判別部１０３から入力する信号をデータＤＥ４としてレコードＲ０に格納する。
【００４６】
データＤＥ３は、傾き検出部１０５が、血圧測定中にセンサ１０７によって検出する固定用筒状ケース５７の角度αが、正常な測定姿勢である場合の所定角度の範囲から、外れているか否かの検出結果を指示する。被測定者が正常な測定姿勢である場合の固定用筒状ケース５７の所定角度のデータは、予め実験などにより検出されて、メモリ３９の所定記憶領域に格納されていると想定する。
【００４７】
データＤＥ２は、血圧測定中に被測定者が体を動かしたか否かを検出した結果を指示する。測定中に体を動かした場合には、測定精度が低くなることが知られている。ＣＰＵ３０は体動の有無は血圧測定中に検出される脈波の波形に基づき検出することができる。体動の検出手順は周知の技術を適用することができるので、ここでは詳細を略す。傾き検出部１０５による固定用筒状ケース５７の角度αの判定結果および体動の有無の検出結果は、血圧算出部１０２に出力される。血圧算出部１０２は、傾き検出部１０５から入力した検出結果および体動の検出結果を、データＤＥ２およびＤＥ３としてレコードＲ０に格納する。
【００４８】
領域Ｅ２ａに格納されるレコードＲ１は、領域Ｅ２ａに格納された順番、すなわち測定時間順序に従うシリアル番号を示すデータＤＮ、データＳＹＳ、ＤＩＡ、ＰＬおよびＴＭ、ならびにデータＤＥ１、Ｅ２およびＥ３を含む。ユーザＢのための領域Ｅ２ｂにおいてもレコードＲ１が同様に格納される。領域Ｅ２ａ、Ｅ２ｂのそれぞれにおいては、たとえば最大９９件のレコードＲ１を格納することができる。
【００４９】
領域Ｅ３内のユーザＡのための領域Ｅ３ａには、領域Ｅ２ａに格納されたレコードＲ１のうち、データＴＭが朝時間帯を指すレコードＲ１に基づき算出された１週間単位の測定データの平均を表わすデータを格納するレコードＲ２が格納される。レコードＲ２は、何週目のデータであるかを指示するデータＷＮ、１週間分の朝時間帯測定の最高血圧データＳＹＳの平均を示すデータＡＳＹＳ、１週間分の朝時間帯測定の最低血圧のデータＤＩＡの平均を表わすデータＡＤＩＡ、１週間分の朝時間帯測定の脈拍数のデータＰＬの平均を表わすデータＡＰＬ、および当該レコードＲ２に格納されるデータＡＳＹＳおよびＡＤＩＡが指示する平均の血圧が早朝高血圧を指示するか否かを示すデータＡＥ１を格納する。同様に、ユーザＢのための領域Ｅ３ｂにおいては、領域Ｅ２ｂに格納されたデータに基づき、１週間単位で算出されたデータＡＳＹＳ、ＡＤＩＡ、ＡＰＬ、およびＡＥ１が格納されたレコードＲ２が登録される。
【００５０】
領域Ｅ４内のユーザＡのための領域Ｅ４ａにおいては、領域Ｅ２ａに格納されたレコードＲ１のうちデータＴＭが夜時間帯を指すレコードＲ１に基づき、夜時間帯測定データの１週間単位の平均値のデータを格納したレコードＲ３が格納される。同様に、ユーザＢのための領域Ｅ４ｂにおいては、領域Ｅ２ｂに格納されたレコードＲ１のうちデータＴＭが夜時間帯を指すレコードＲ１に基づき、１週間単位で、夜時間帯測定データに基づく平均を格納したレコードＲ３が格納される。
【００５１】
領域Ｅ３ａ、Ｅ３ｂ、Ｅ４ａおよびＥ４ｂそれぞれには、たとえば、最大８週分のレコードが格納される。具体的には、今週分（データＷＮは‘０’を指示する）、先週分（１週前：データＷＮは‘１’を指示する）、先々週分（２週前：データＷＮは‘２’を指示する）、・・・の合計８週分のレコードが格納可能である。新たに今週分のデータが算出されるとき、最も過去に格納されたレコード、すなわちデータＷＮの指示する値が‘６’であるレコードに新たに算出された内容が上書きされる。また、この上書きが行なわれるとき、当該レコードのデータＷＮの値は‘６’→‘０’に更新され、他の各レコードのデータＷＮの値は＋１更新される。
【００５２】
領域Ｅ２、Ｅ３およびＥ４のそれぞれには、ポインタＰ１、Ｐ２およびＰ３が設けられる。ポインタＰ１は、領域Ｅ２において現在データが読出されたレコードＲ１を指示する。ポインタＰ２は、領域Ｅ３において現在データが読出されたレコードＲ２を指示する。ポインタＰ３は、領域Ｅ４において現在データ読出されたレコードＲ３を指示する。
【００５３】
（血圧の算出／平均算出機能について）
血圧算出部１０２は、Ａ／Ｄ変換器３８から入力する脈波信号に基づき、周知の方法、たとえばオシロメトリック法に従い血圧（最高血圧（収縮期血圧）および最低血圧（拡張期血圧））を算出する。また、周知方法により脈拍を算出する。
【００５４】
さらに、血圧算出部１０２は、血圧測定が行なわれる都度、早朝高血圧の有無、測定中の体動の有無、測定中の固定用筒状ケース５７の傾き角度αが適正であるかの有無、およびユーザの別を判定し、判定結果を、測定データと関連付けてメモリ３９に格納する。
【００５５】
日本高血圧学会によれば家庭血圧で最高血圧が１３５ｍｍＨｇ以上または最低血圧が８５ｍｍＨｇ以上である場合には、高血圧と規定する。特に、起床後の血圧がこの高血圧の条件に該当する場合には、早朝高血圧と規定する。早朝高血圧は、心血管リスクを高める要因となるものである。そこで、本実施の形態では、血圧測定が、タイマ４９の計時データに基づき、午前４時〜１０時までに行なわれたと検出した場合には、朝時間帯の測定と判定し、午後７時〜午前２時までに測定がされたと検出した場合には、夜時間帯の測定と判定する。さらに、朝時間帯の測定データＳＹＳとＤＩＡについて、高血圧の指標データ（１３５ｍｍＨｇ／８５ｍｍＨｇ）と比較し、比較結果に基づき早朝高血圧であるか否かを検出する。検出結果は、データＤＥ１として格納される。
【００５６】
なお、朝・夜時間帯（午前４時〜１０時・午後７時〜午前２時）および高血圧の指標データ（１３５ｍｍＨｇ／８５ｍｍＨｇ）は、予めメモリ３９の所定記憶領域に格納されている。
【００５７】
平均算出部１０２１は、スイッチ４１Ｂの操作による信号を入力判別部１０３を介して入力し、入力信号に基づきユーザを識別する。そして、識別したユーザに対応のメモリ３９の領域に格納された過去の測定データを検索し、１週間分の朝時間帯の測定データの平均データを算出し、また、同様にして、１週間分の夜時間帯の測定データの平均データを算出する。
【００５８】
具体的には、タイマ４９の計時データに基づき、所定曜日になると（たとえば、日曜日になると）、ユーザごとに、過去１週間分の朝時間帯のレコードＲ１の測定データ（データＴＭが午前４時〜１０時を指示するレコードＲ１の測定データ）をメモリ３９の領域Ｅ２から読出し、読出した１週間分の測定データの平均を算出し、その結果をメモリ３９の領域Ｅ３に格納する。同様に、ユーザごとに、過去１週間分の夜時間帯の測定データ（データＴＭが午後７時〜午前２時を指示するレコードＲ１の測定データ）をメモリ３９の領域Ｅ２から読出し、読出した１週間分の測定データの平均を算出し、その結果をメモリ３９の領域Ｅ４に格納する。
【００５９】
平均算出部１０２１は、算出した朝時間帯の平均測定データＡＳＹＳとＡＤＩＡについて、高血圧の指標データ（１３５ｍｍＨｇ／８５ｍｍＨｇ）と比較し、比較結果に基づき早朝高血圧であるか否かを検出する。検出結果は、データＡＥ１としてレコードＲ２に格納される。
【００６０】
また、平均算出部１０２１は、毎日、血圧測定が行なわれる毎に、各ユーザ毎に、領域Ｅ２の今週分（直前の日曜日から今日まで）の朝時間帯および夜時間帯のレコードＲ１の測定データに基づき、今週分の朝時間帯および夜時間帯の測定データの平均を算出し、その結果をレコードＲ２（データＷＮは‘０’）としてメモリ３９の領域Ｅ３とＥ４にそれぞれ格納する。
【００６１】
（血圧測定処理）
図７のフローチャートに従い本実施の形態に係る血圧測定処理を説明する。以下に示す血圧測定処理は一例であり、血圧測定の手法については、特に限定されるものではない。
【００６２】
図３のような測定状態において、ＣＰＵ３０は、はじめに、初期化処理を行なう（ステップＳ３０２）。具体的には、血圧測定用空気袋５０および圧迫固定用空気袋５１の空気の排気や、圧力センサ５２と５４の補正などを行なう。
【００６３】
測定可能状態になると、圧力調整部１０１はポンプ駆動回路３６および４６を所定手順に従い駆動し、血圧測定用空気袋５０および圧迫固定用空気袋５１の圧力を徐々に上昇させる（ステップＳ３０４）。圧迫固定用空気袋５１により測定部位に血圧測定用空気袋５０が巻付け固定されると、血圧測定用空気袋５０の内圧（カフ圧）が徐々に上昇し血圧測定のための所定レベルにまで達すると、圧力調整部１０１はポンプ駆動回路３６を制御してポンプ３３を停止させる。加圧過程においては、測定中処理部１１１による表示部４０に対する表示処理がされる（ステップＳ３０５）。本実施の形態では、この所定レベルに達するまでの加圧過程において血圧算出が行われる。
【００６４】
加圧過程において、Ａ／Ｄ変換器３８を介して圧力センサ５２により検出されるカフ圧信号に重畳する脈圧信号は、血圧算出部１０２に与えられる。血圧算出部１０２は入力する脈圧信号を血圧データに変換して測定中処理部１１１に逐次出力する。測定中処理部１１１は、入力するデータに基づき画像データを生成し表示部４０に出力する。したがって、表示部４０は入力する画像データに基づく画像を表示する。
【００６５】
加圧過程における表示画面の一例が図９に示される。図９を参照して、表示部４０には、現在の血圧を指すデータ２００と、脈拍数データ２０１、早朝高血圧の指標である判定基準値２０４を関連付けて示す血圧レベルバー２０２、ユーザの別を指すデータ２０５Ａ、測定中であることを指すデータ２０６、加圧中であることを指すデータ２０７、傾き検出部１０５による検出信号に基づく固定用筒状ケース５７の傾きを指すデータ２０８、タイマ４９が指す現在時間データ２０９、電池交換のアラーム２１０の表示が、同一画面において同時に行われる。図９では、脈拍数は算出されていないので値としては‘００’が表示される。
【００６６】
図９では、早朝高血圧区分の判定基準値２０４を、血圧レベルバー２０２上の基準値２０４に対応する血圧値を指示する位置に、関連付けて表示する。ここでは、判定基準値２０４を表示するとしているが、表示部４０の画面上に予めプリントされていてもよい。
【００６７】
図９では、血圧レベルバー２０２に重畳して、データ２００が指す血圧の値を示す斜線部の棒グラフが表示される。棒グラフの長さは、データ２００の値を指すようにデータ２００の値の変化と連動して伸縮する。また、棒グラフの値が読み易いように、血圧レベルバー２０２上では長方形状のマーク２０３が、たとえば１０ｍｍＨｇ単位のセグメントに区分する目盛りとして表示される。マーク２０３は、棒グラフを介して透過表示される。このように、表示部４０の同一画面において、矩形状の、好ましくは長方形状の血圧レベルバー２０２上における棒グラフ表示とデータ２００によるデジタル数値の表示とが同時に行われ、棒グラフはデータ２００の値の変化に連動して伸縮するので、被測定者は加圧の進行状況を直感的に確認できる。
【００６８】
加圧過程においてＡ／Ｄ変換器３８を介して検出される圧脈波信号に基づき、血圧算出部１０２は、公知の手順で血圧（最高血圧、最低血圧）を算出する（ステップＳ３０６）。また、血圧算出部１０２は、公知の手順で脈拍数を算出する。
【００６９】
算出された血圧と脈拍数は、前述のレコードＲ０としてメモリ３９の領域Ｅ１に格納されるとともに、レコードＲ０の内容は表示処理部１０４の今回測定処理部１１２に与えられる。今回測定処理部１１２は、与えられるデータに基づき画像データを生成して、表示部４０に出力する（ステップＳ３０８）。したがって、表示部４０は、入力する画像データに基づき、たとえば、図１０の画面を表示する。
【００７０】
図１０の画面では、レコードＲ０のデータＳＹＳとＤＩＡに従う最高血圧と最低血圧の値２００Ａと２００Ｂの表示、レコードＲ０のデータＤＥ１、ＤＥ２およびＤＥ３に基づくデータ２１１、２１２および２１３の表示がされている。また、データＤＥ２により測定中に体動が検出されたために測定精度が低いと判定されて‘再測定’を促すアラームのデータ２１３が表示される。
【００７１】
また、血圧測定に際して被測定者がスイッチ４１Ｂを操作せずにユーザＡまたはＢの選択をしなかった場合には、本実施の形態では、その血圧測定結果はメモリ３９の領域Ｅ２またはＥ３には記録されない。そこで、表示部４０には、被測定者がスイッチ４１Ｂを操作せず血圧測定が行なわれた場合には、当該測定データは‘記録しない’ことを被測定者に対して報知するためのデータ２５０Ｂが表示される。
【００７２】
また、図１０では、血圧レベルバー２０２に重畳して斜線部の棒グラフが表示される。棒グラフの上端と下端によって、データ２００Ａと２００Ｂが指す最高血圧および最適血圧に相当する血圧レベルバー２０２上の値がそれぞれ示される。また、図９と同様に、被測定者が血圧値を読み易いように、血圧レベルバー２０２のマーク２０３は、棒グラフを介して透過表示される。
【００７３】
ステップＳ３０８の表示処理に続いて、血圧算出部１０２は、レコードＲ０のデータに基づきレコードＲ１を生成して、生成したレコードＲ１を、メモリ部３９の領域Ｅ２の当該ユーザの領域に格納する（ステップＳ３１０）。ここでは、被測定者は、ユーザＡまたはＢとしてスイッチ４１Ｂの操作によって予め選択されていると想定するので、生成されたレコードＲ１は領域Ｅ２ａまたはＥ２ｂに格納される。
【００７４】
血圧測定後は、血圧測定用空気袋５０および圧迫固定用空気袋５１の空気は急速に排気がされて、測定処理は終了する。
【００７５】
なお、ステップＳ３０８の表示処理は、ステップＳ３１０の記憶処理の後に行なわれてもよい。また、血圧測定は加圧過程でされるとしたが、減圧過程でされてもよい。
【００７６】
（呼出し表示処理）
本実施の形態では、操作部４１の操作による指示に応答して、メモリ３９に格納された血圧測定データを読出し、表示部４０に表示する。これを、以下、呼出し処理という。本実施の形態では、呼出し表示処理を指示するためにスイッチ４１Ｄまたは４１Ｅが操作される。
【００７７】
図８を参照して、呼出し処理について説明する。なお、ここでは、メモリ３９には十分な件数のレコードＲ１、Ｒ２およびＲ３が、データＤＮおよびＷＮの値の昇順に格納されていると想定する。また、スイッチ４１Ｂの操作によりユーザＡが指定されていると想定する。したがって、ユーザＡの血圧測定データについてレコードＲ１またはＲ２の呼出し表示処理が行われる場合を説明する。なお、スイッチ４１Ｂが操作されてユーザＢが指定されている場合でも、処理は同様に行われる。
【００７８】
まず、ＣＰＵ３０の入力判別部１０３は、操作部４１の何らかのスイッチが操作されたか否かを、操作部４１からの出力信号に基づき判定する（ステップＴ１）。入力判別部１０３が、何らかの操作がされたと判定すると（ステップＴ１でＹＥＳ）、続いて、操作部４１からの出力信号に基づき、操作されたスイッチの種別を判定する（ステップＴ３、Ｔ５）。
【００７９】
判定結果、スイッチ４１Ｅが操作されたと判定すると（ステップＴ３でＹＥＳ）、後述のステップＴ７の処理に移る。一方、スイッチ４１Ｅが操作されたと判定されないと（ステップＴ３でＮＯ）、スイッチ４１Ｄが操作されたか否かが判定される（ステップＴ５）。スイッチ４１Ｄが操作されたと判定されると、処理はステップＴ７に移る。
【００８０】
操作されたスイッチは、スイッチ４１Ｄおよび４１Ｅのいずれでもないと判定されると（ステップＴ５でＮＯ）、一連の呼出し表示処理は終了する。
【００８１】
ステップＴ７においては、今回の操作スイッチの種別が、前回操作された操作スイッチの種別と同じであるか否かが判定される（ステップＴ７）。入力判別部１０３は、操作部４１からの出力信号に基づき判定した操作スイッチの種別のデータを記憶している。そして、操作がされる毎に、今回判定したスイッチ種別と記憶しているスイッチ種別とを比較し、比較結果に基づき、前回と同じ種類のスイッチが操作されているか否かを判定する（ステップＴ７）。同じ種別のスイッチが操作されたと判定すると（ステップＴ７でＹＥＳ）、メモリ３９の領域Ｅ２ａ、Ｅ３ａおよびＥ４ａそれぞれにおいて、ポインタＰ１、Ｐ２、Ｐ３が指示するレコードＲ１、Ｒ２、Ｒ３それぞれの次に格納されたレコードを指示するように、ポインタＰ１、Ｐ２、Ｐ３それぞれを更新する（ステップＴ９）。そして、更新後のポインタＰ１、Ｐ２およびＰ３が指示するレコードを読出し、読出したレコードのデータを、画像データに生成して、表示部４０に与える（ステップＴ１３）。表示処理部４０は、与えられる画像データに従い画面を表示する。その後、処理はステップＴ１に移る。
【００８２】
一方、前回の操作スイッチの種別と同じでないと判定されると（ステップＴ７でＮＯ）、ポインタＰ１、Ｐ２およびＰ３のそれぞれは、対応する領域Ｅ２ａ、Ｅ３ａおよびＥ４ａのそれぞれにおける先頭に格納されたレコードＲ２、Ｒ３およびＲ４のそれぞれを指示するように更新される（ステップＴ１１）。その後、ステップＴ１３に移り、現在ポインタが指示するレコードのデータを読出し、画像データに生成して、生成した画像データを表示部４０に与える。表示処理部４０は、与えられる画像データに従い画面を表示する。
【００８３】
表示処理部１０４の毎回処理部１１３は、スイッチ４１Ｅの操作が繰返されると、操作される毎に、領域Ｅ２ａのポインタＰ１が指示するレコードＲ１のデータを呼出し表示するよう動作する。したがって、スイッチ４１Ｅが操作される毎に、領域２ａから測定時間の時系列順に従い血圧データのレコードＲ１を読出して、表示することができる。この場合の表示画面の一例が図１１に示される。
【００８４】
図１１の表示画面では、呼出し表示であることを指示するデータ２１４Ｄと、呼出し表示されるレコードＲ１のデータＤＮの値２１４Ａとが表示される。さらに、毎回処理部１１３が当該レコードＲ１がデータＴＭが朝時間帯に該当すると判定すれば、朝時間帯であったことを指すデータ２１４Ｂが表示される。また、図１１では、血圧レベルバー２０２においては、１０ｍｍＨｇ毎のセグメントに区分するための目盛りとして割付られるマーク２０３の表示および棒グラフ表示に代替して、同一画面に表示されているデータ２００Ａの最高血圧とデータ２００Ｂの最低血圧をそれぞれを指すセグメント２０２Ａが表示される。したがって、棒グラフ表示では読み難いと感じるユーザは、図１１のように棒グラフなしの表示に切り替えることができるとしてもよい。図１１の表示画面における他の表示項目は、図９または図１０で説明したものと同じである。
【００８５】
また、スイッチ４１Ｄのスイッチ４１１Ｄの操作が繰返されると、操作される毎に、領域Ｅ３ａのポインタＰ２が指示するレコードＲ２のデータが呼出し表示され、スイッチ４１２Ｄの操作が繰返されると、操作される毎に、領域Ｅ４ａのポインタＰ３が指示するレコードＲ３のデータが呼出し表示される。したがって、スイッチ４１１Ｄ（４１２Ｄ）が操作される毎に、領域３ａ（４ａ）から測定時間の時系列順に従い血圧データのレコードＲ２（Ｒ３）を読出して、表示することができる。この表示の一例が図１２と図１３に示される。
【００８６】
図１２の表示画面では、レコードＲ２が呼出し表示された場合の表示例が示される。レコードＲ２のデータＷＮが指示する値に基づき、図１１では‘先々週’の文字データ２１４Ａが表示される。また、表示されるレコードＲ２は朝測定時間帯の平均データであることを指すデータ２１４Ｂと２１４Ｃが表示される。他の表示項目は、図９〜図１１に示したものと同様である。
【００８７】
図１３の表示画面では、レコードＲ３が呼出し表示された場合の表示例が示される。レコードＲ３のデータＷＮが指示する値に基づき、図１３では‘今週’の文字データ２１４Ａが表示される。また、表示されるレコードＲ３は夜測定時間帯の平均データであることを指すデータ２１４Ｂと２１４Ｃが表示される。他の表示項目は、図９〜図１２に示したものと同様である。
【００８８】
上述した表示部４０の画面表示によれば、同一画面において、最高血圧値と最低血圧値の血圧測定結果をデータ２００Ａと２００Ｂによりデジタル表示し、マーク２０３を用いた１０ｍｍＨｇに目盛り区分された血圧レベルバー２０２において、データ２００Ａと２００Ｂを上下限値とする棒グラフ表示をするようにしたので、ユーザは、デジタル表示ではわかりにくかった血圧値のレベルを棒グラフで直感的に理解することできる。
【００８９】
また、血圧レベルバー２０２の目盛りのうち、高血圧区分の判定基準値２０４に相当する目盛りに近接して当該基準値２０４を数値表示したので、測定血圧が高血圧に該当するか否かを容易に確認することができる。
【００９０】
また、図９に示すように、血圧測定の加圧過程で検出する血圧のデータ２００の変化と連動して棒グラフとして段階的に増加および減少（伸張）するように表示されることにより、被測定者は、加圧の進行状況を直感的に把握することができる。
【００９１】
さらにメモリ３９に記憶した過去の血圧測定結果を、図１０〜図１３のように、同一画面においてデジタル表示と棒グラフ表示として同時に行う。そして、スイッチ操作に応じて当該画面を連続した過去の履歴データを表示するように切替えることができる。これにより小さい表示領域でありながらも、日々、または週単位の血圧値の推移状況をデジタル表示と棒グラフでひと目で判別することが可能となる。
【００９２】
（他の血圧測定装置）
本実施の形態に係る血圧測定装置は、図１に示す本体とカフが一体的に構成された自動巻付け型に限定されない。たとえば、図１４に示すように、測定部位に手動で巻付けられるカフ２０と血圧計本体１０Ｂが、エアチューブ２４を介して別体として構成された血圧測定装置であってもよい。血圧計本体１０Ｂの筐体の前面１０Ｂに操作部４１と表示部４０が設けられる。
【００９３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９４】
【図１】実施の形態に係る自動巻き型電子血圧計の概観図である。
【図２】実施の形態に係る自動巻き型電子血圧計のエアー系の概略構成図である。
【図３】実施の形態に係る自動巻き型電子血圧計の血圧測定時の使用態様を模式的に示す図である。
【図４】実施の形態に係る自動巻き型電子血圧計のハードウェア構成図である。
【図５】実施の形態に係る自動巻き型電子血圧計の機能構成図である。
【図６】実施の形態に係る自動巻き型電子血圧計のメモリ構成図である。
【図７】実施の形態に係る血圧測定処理のフローチャートである。
【図８】実施の形態に係る呼出し表示処理のフローチャートである。
【図９】実施の形態に係る表示の一例を示す図である。
【図１０】実施の形態に係る表示の他の例を示す図である。
【図１１】実施の形態に係る表示のさらなる他の例を示す図である。
【図１２】実施の形態に係る表示のさらなる他の例を示す図である。
【図１３】実施の形態に係る表示のさらなる他の例を示す図である。
【図１４】実施の形態に係る他の血圧測定装置の概観図である。
【符号の説明】
【００９５】
４０  表示部、４１  操作部、１０１  圧力調整部、１０２  血圧算出部、１０３  入力判別部、１０４  表示処理部、１１１  測定中処理部、１１２  今回測定処理部、１１３  毎回処理部、１１４  週毎処理部、２０２  血圧レベルバー、２０３  マーク、２０４  判定基準値。
【図１】
2010119446.tif 000003
【図２】
2010119446.tif 000004
【図３】
2010119446.tif 000005
【図４】
2010119446.tif 000006
【図５】
2010119446.tif 000007
【図６】
2010119446.tif 000008
【図７】
2010119446.tif 000009
【図８】
2010119446.tif 000010
【図９】
2010119446.tif 000011
【図１０】
2010119446.tif 000012
【図１１】
2010119446.tif 000013
【図１２】
2010119446.tif 000014
【図１３】
2010119446.tif 000015
【図１４】
2010119446.tif 000016